(57)【特許請求の範囲】
【請求項１】
ガス状の金属原子と、
前記金属原子を励起する励起光を照射する光源と、
筒部、および前記筒部の両端に配置されていて前記励起光が透過する窓部を有し、かつ
前記筒部内に前記金属原子を封入しているガスセルと、
前記窓部を加熱する窓部加熱手段と、
前記ガスセルを透過した前記励起光を検出する光検出手段と、
前記ガスセルを保持する凹部を備えている二つの保持部材と、
を備え、
前記励起光が照射されている際に、前記窓部の温度が前記筒部の温度よりも高いことを
特徴とする原子発振器。
【請求項２】
前記二つの保持部材のうち少なくとも一つが、金属を材料に含んでいる請求項１に記載の原子発振器。
【請求項３】
前記二つの保持部材のうち少なくとも一つが、樹脂を材料に含んでいる請求項１または２に記載の原子発振器。
【請求項４】
前記窓部加熱手段の温度を制御する温度制御部を備えている請求項１ないし３の何れか一項に記載の原子発振器。
【請求項５】
前記ガスセルは固化した前記金属原子が溜る溜り部を前記筒部に備え、
前記溜り部の温度が周囲の温度よりも低いことを特徴とする請求項１ないし４の何れか一項に記載の原子発振器。
【請求項６】
前記二つの保持部材のうち少なくとも一つは前記筒部を加熱する筒部加熱手段を備えている請求項１ないし５のいずれか一項に記載の原子発振器。
【発明の詳細な説明】
【技術分野】
【０００１】
本発明は、原子発振器およびその制御方法に関し、さらに詳しくは、ガスセルの温度制
御を量子レベルで制御する原子発振器に関するものである。
【背景技術】
【０００２】
ルビジウム、セシウムなどのアルカリ金属を用いた原子発振器は、原子のエネルギ遷移を利用する際に、ガスセル内に、緩衝ガスとともにアルカリ金属原子を蒸気状態に保っている。そのため、原子を気密封止したガスセルを所定の高温に保って動作させている。原子発振器の動作原理は、光とマイクロ波を利用した二重共鳴法と、２種類の干渉光により量子干渉効果（以下ＣＰＴ：Coherent Population Trappingと記す）を利用する方法とに大別されるが、両者共にガスセルに入射した光源からの光が、原子ガスにどれだけ吸収されたかを、ガスセルを挟んで光源の反対側に設けられた光検出手段で検出することにより原子共鳴を検知し、制御系にて水晶発振器などの基準信号をこの原子共鳴に同期させて出力を得ている。
このとき、ガスセル中の原子密度が変化すると、原子ガスへの光の吸収度合いが変化して原子共鳴の検知に誤差を生じたり、検知できなくなるといった問題がある。そのため、実用化されている原子発振器は、ガスセル内の原子の蒸気を一定の温度（例えば８０℃）に保つための温度制御機構および温度制御系を備えている（例えば特許文献１を参照）。
【０００３】
特許文献１に記載の原子発振器（物理学的パッケージ）は、ガス状の金属原子を封入したガスセル（蒸気セル）と、ガスセルを所定の温度に加熱する加熱手段（加熱器）と、ガスセル中の金属原子を励起する励起光の光源と、ガスセルを透過した励起光を検出する光検出手段と、を備えている。ここで、所定の温度とは、ガスセル内に、金属原子が所望の原子密度にてガス化される温度（温度範囲）を指す。
ガスセルは、内部に原子ガスが封入された筒状（チューブ状）の密閉容器であって、パッケージ（磁気遮蔽）内に装填された断熱材、および断熱材の内側に設けられたマイクロ波空洞のさらに内側に、誘電体からなるガスセル保持部材に周辺を覆われた状態で保持されている。また、筒状のガスセルは、筒部と、該筒部の両端の開口部をそれぞれ封鎖して励起光の光路の入射面および出射面を形成する窓部とからなり、入射面となる窓部側に配置された光源から入射された光が、筒部を通って金属原子を励起し、その励起光が出射面となる窓部側に配置された光検出手段に向けて出射されるように配置されている。したがって、励起光の入射面および出射面を形成する各窓部は光透過性を有する材料により構成される。なお、特許文献１に記載の原子発振器の光源にはレーザダイオード光源が用いられ、この光源はマイクロ波信号に影響することのないパッケージの外側に配置され、光ファイバを介してガスセルの入射面側の窓部に光を入射するようになっている。
また、ガスセルを加熱する加熱手段は、ガスセルの筒部を覆うガスセル保持部材およびマイクロ波空洞の外側に設けられて温度制御手段に接続され、マイクロ波空洞および誘電体を介して主に筒部を加熱するようになっている。
【先行技術文献】
【特許文献】
【０００４】
【特許文献１】特表平１１−５１２８７６号公報
【発明の概要】
【発明が解決しようとする課題】
【０００５】
しかしながら、特許文献１に記載の原子発振器では、ガスセルを保持するガスセル保持部材の外側に加熱手段が設けられ、この加熱手段によりガスセル保持部材を介して主に筒部を加熱する構造となっている。このため、加熱されたガスセルにおいては、筒部に比べて窓部の温度が低くなり、ガスセル内でガス化された金属原子または分子が窓部で固化されやすくなっている。光源から光検出手段までの光の光路となっている窓部に金属原子の固体が付着した場合には、光の透過が阻害されて光情報の精度の低下をもたらし、原子発振器の性能の劣化を招く虞があるという問題があった。
【課題を解決するための手段】
【０００６】
本発明は、上述の課題の少なくとも一部を解決するためになされたものであり、以下の形態または適用例として実現することが可能である。
【０００７】
〔適用例１〕本適用例にかかる原子発振器は、ガス状の金属原子を封入したガスセルと、前記ガスセルを保持するガスセル保持部材と、前記ガスセルを前記金属原子がガス化される温度に加熱する加熱手段と、前記ガスセル中の前記金属原子を励起する励起光を照射する光源と、前記ガスセルを透過した前記励起光を検出する光検出手段と、前記光検出手段により検出された前記励起光の強度に基づいて前記加熱手段を制御する温度制御手段と、を備え、前記ガスセルは、筒部と、該筒部の両端の開口部をそれぞれ封鎖して前記励起光の光路の入射面および出射面を形成する窓部と、を有し、前記加熱手段が、前記窓部の前記光路と異なる領域に設けられていることを特徴とする。
【０００８】
この構成によれば、加熱手段が窓部に設けられていることにより、加熱手段により加熱されたガスセルにおいては、窓部の温度が筒部の温度よりも高く保持されるので、ガス化された金属原子または分子が窓部の光路に固化されて付着するのを抑えることができる。これにより、窓部の光路への固体の付着により励起光の透過が阻害されることによる光情報の精度の低下が抑えられるので、原子発振器の発振特性の劣化を防止することができる。
【０００９】
〔適用例２〕本適用例にかかる原子発振器は、ガス状の金属原子を封入したガスセルと、前記ガスセルを保持するガスセル保持部材と、前記ガスセルを前記金属原子がガス化される温度に加熱する加熱手段と、前記ガスセル中の前記金属原子を励起する励起光を照射する光源と、前記ガスセルを透過した前記励起光を検出する光検出手段と、前記光検出手段により検出された前記励起光の強度に基づいて前記加熱手段を制御する温度制御手段と、を備え、前記ガスセルは、筒部と、該筒部の両端の開口部をそれぞれ封鎖して前記励起光の光路の入射面および出射面を形成する窓部と、を有し、前記加熱手段として、前記ガスセル保持部材に設けられた第１の加熱手段と、前記窓部の前記光路と異なる領域に設けられ前記第１の加熱手段の温度より高い温度に制御される第２の加熱手段と、を備えることを特徴とする。
【００１０】
この構成によれば、第１の加熱手段によって筒部の温度を制御しながら、第２の加熱手段によって窓部の温度を筒部の温度よりも高めに制御することが可能になる。これにより、窓部への固化された金属原子または分子の付着が抑えられるとともに、ガスセル内の温度をより均一に安定させて制御することができる。したがって、ガスセルの光路の光透過性を保持しながらガスセル内の原子密度をより一定に保持することができるので、安定した光情報の取得が可能となり、優れた発振特性を有する原子発振器を提供することができる。
【００１１】
〔適用例３〕本適用例にかかる原子発振器の制御方法は、ガス状の金属原子を封入したガスセルと、前記ガスセルを保持するガスセル保持部材と、前記ガスセルを前記金属原子がガス化される温度に加熱する加熱手段と、前記ガスセル中の前記金属原子を励起する励起光を照射する光源と、前記ガスセルを透過した前記励起光を検出する光検出手段と、前記光検出手段により検出された前記励起光の強度に基づいて前記加熱手段を制御する温度制御手段と、を備え、前記ガスセルは、筒部と、該筒部の両端の開口部をそれぞれ封鎖して前記励起光の光路の入射面および出射面を形成する窓部と、を有し、前記加熱手段が、前記窓部の前記光路と異なる領域に設けられている原子発振器の制御方法において、前記光源からの入射光の波長に応じた光吸収が最大になった励起周波数における光の強度を記憶する光強度記憶ステップと、前記光強度記憶ステップにより記憶された光の強度になるように前記加熱手段の温度を制御する温度制御ステップと、を含み、前記温度制御ステップは、前記光強度記憶ステップにより記憶された光の強度と、現時点での前記光源からの入射光の波長に応じた光吸収により得られた光の強度とを比較し、前記現時点での光の強度が、前記光強度記憶ステップにより記憶された光の強度と一致するように前記加熱手段を制御することを特徴とする。
【００１２】
上記適用例の原子発振器の制御方法によれば、光検出手段により検出された励起光の強度に基づいて加熱手段を温度制御することにより、加熱手段によるガスセルの温度制御を正確に行うことができるので、温度検出手段を省略することができるとともに、装置の小型化およびコストダウンを実現することができる。
しかも、上記適用例の原子発振器は、加熱手段が、窓部の光路と異なる領域に設けられている。これにより、加熱されたガスセルにおいて、窓部の温度が筒部の温度よりも高く保持されるので、ガス化された金属原子または分子が窓部の光路に固化されて付着するのを抑えることができる。これにより、窓部の光路への固体の付着により励起光の透過が阻害されることによる光情報の精度の低下が抑えられるので、原子発振器の発振特性の劣化を防止することができる。
【００１３】
〔適用例４〕本適用例にかかる原子発振器の制御方法は、ガス状の金属原子を封入したガスセルと、前記ガスセルを保持するガスセル保持部材と、前記ガスセルを前記金属原子がガス化される温度に加熱する加熱手段と、前記ガスセル中の前記金属原子を励起する励起光を照射する光源と、前記ガスセルを透過した前記励起光を検出する光検出手段と、前記光検出手段により検出された前記励起光の強度に基づいて前記加熱手段を制御する温度制御手段と、を備え、前記ガスセルは、筒部と、該筒部の両端の開口部をそれぞれ封鎖して前記励起光の光路の入射面および出射面を形成する窓部と、を有し、前記加熱手段として、前記ガスセル保持部材に設けられた第１の加熱手段と、前記窓部の前記光路と異なる領域に設けられ前記第１の加熱手段の温度より高い温度に制御される第２の加熱手段と、を備えた原子発振器の制御方法であって、前記光源からの入射光の波長に応じた光吸収が最大になった励起周波数における光の強度を記憶する光強度記憶ステップと、少なくとも前記光強度記憶ステップにより記憶された光の強度になるように前記第１の加熱手段の温度を制御する温度制御ステップと、を含み、前記温度制御ステップでは、前記光強度記憶ステップにより記憶された光の強度と、現時点での前記光源からの入射光の波長に応じた光吸収により得られた光の強度とを比較し、前記現時点での光の強度が、前記光強度記憶ステップにより記憶された光の強度と一致するように前記第１の加熱手段を制御して、且つ、前記第２の加熱手段の温度を前記第１の加熱手段の温度よりも高い温度に制御することを特徴とする。
【００１４】
上記適用例の原子発振器の制御方法によれば、光検出手段により検出された励起光の強度に基づいて加熱手段を温度制御することにより、加熱手段によるガスセルの温度制御を正確に行うことができるので、温度検出手段を省略することができるとともに装置の小型化およびコストダウンを実現することができる。
また、上記した制御方法の原子発振器において、上記適用例によれば、第１の加熱手段によって筒部の温度を制御しながら、第２の加熱手段によって窓部の温度を筒部の温度よりも高めに制御することが可能になる。これにより、窓部への固化された金属原子または分子の付着が抑えられるとともに、ガスセル内の温度をより均一に安定させて制御することができる。したがって、ガスセルの光路の光透過性を保持しながらガスセル内の原子密度をより一定に保持することができるので、安定した光情報の取得が可能となり、優れた発振特性を有する原子発振器を提供することができる。
【図面の簡単な説明】
【００１５】
【図１】（ａ）は、原子発振器の物理部を模式的に説明する側面図、（ｂ）は、物理部の主要部であるセルユニットを光の入射面側からみた正面図。
【図２】（ｂ）は、ガスセルを説明する正面図、（ａ）は、（ｂ）のＡ−Ａ線断面図。
【図３】二重共鳴法による原子発振器の要部構成図。
【図４】（ｂ）は、セルユニットの変形例を説明する正面図、（ａ）は（ｂ）のＢ−Ｂ線断面図。
【図５】ガスセルの変形例を説明する正面図。
【発明を実施するための形態】
【００１６】
以下、原子発振器の一実施形態について、図面を参照して説明する。
【００１７】
図１（ａ）は、本実施形態にかかる原子発振器の物理部を模式的に説明する側面図、（ｂ）は、物理部の主要部であるセルユニットを（ａ）の光の入射面側（光源３０側）からみた正面図である。また、図２（ｂ）は、ガスセルを説明する正面図、（ａ）は（ｂ）のＡ−Ａ線断面図である。なお、図１（ｂ）および図２（ｂ）において施されたハッチングは、ヒータ１５を識別しやすくするためのものであり断面を示すものではない。
【００１８】
本実施形態では、原子発振器において物理的な機能を司る主要部を物理部５０と呼ぶ。図１において、物理部５０は、ガスセル１０およびガスセル１０を保持するガスセル保持部材２１からなるセルユニット２０と、ガスセル１０内の気化された金属原子を励起する光を照射する励起光の光源３０と、ガスセル１０を通過した励起光を検出する光検出手段としてのフォトセンサ４０と、を有している。
【００１９】
（ガスセル）
図２において、ガスセル１０は、筒部としての円筒部１１と、その円筒部１１の両端の開口部を封鎖する窓部１２とにより、密閉されたキャビティＴが形成されている。また、円筒部１１内部の一部分には、金属原子ガスの固体である金属が収容される凹状の溜り部１３が設けられている。なお、金属原子ガスとしては、例えば、ルビジウムやセシウムなどのアルカリ金属を気化させたものが用いられる。
なお、キャビティＴ内に金属原子ガスが封入されたガスセル１０において、金属原子ガスを励起する光の光路Ｌの入射面および出射面を形成する各窓部１２は、例えばガラスなどの光透過性を有する材料からなる。一方、円筒部１１は光透過性を必要としないので、金属や樹脂などにより形成されていてもよく、また、窓部１２と同じガラスなどの光透過性材料により形成されていてもよい。
【００２０】
二つの窓部１２の光路Ｌと異なる領域には、ガスセル１０の加熱手段としての複数のヒータ１５が設けられている。本実施形態では、各窓部１２の光路Ｌから略均等な距離を設けて該光路Ｌを囲むように四つのヒータ１５が配設されている。各ヒータ１５は、図示しない配線によって後述する温度制御部の駆動回路に接続されている。
また、窓部１２の光路Ｌおよび複数のヒータ１５が設けられた領域と異なる領域には温度センサ１９が設けられ、配線により温度制御部の駆動回路に接続されている。なお、温度センサ１９は、円筒部１１あるいはガスセル保持部材２１（図１を参照）に設けてもよい。
【００２１】
（物理部）
図１に示すように、物理部５０は、上記のガスセル１０の光路Ｌの延長線上の両側に、光源３０と、フォトセンサ４０とがそれぞれ配置されて構成されている。
ガスセル１０は、ガスセル保持部材２１により保持されている。本実施形態のガスセル保持部材２１は、ガスセル１０の円筒部１１の外形形状と略同じ円筒形状の凹部が半分ずつ形成された二つのガスセル保持部材２１からなり、この二つのガスセル保持部材２１で円筒部１１をはさみ込んで固定することによりガスセル１０を保持している。このとき、ガスセル保持部材２１は、各窓部１２とは接触しないように所定の隙間を設けてガスセル１０を保持している。これにより、ヒータ１５によって加熱された窓部１２の熱がガスセル保持部材２１に直接伝播することがなくなるので、窓部１２から円筒部１１への熱の伝播が効率よく行われる。また、ガスセル１０を加熱する加熱手段としてのヒータ１５が窓部１２に設けられているので、光路Ｌを含む窓部１２の温度が、円筒部１１よりも常に高く保持されるようになっている。
なお、加熱されたガスセル１０において、窓部１２よりも低い温度を呈する円筒部１１のうち溜り部１３の温度が周囲よりも低い温度となっていることが好ましい。このようにすれば、ガスセル１０内のガス化された金属原子の固化は溜り部１３に集中して起こるようになり、円筒部１１の不特定な部位に金属原子の固化が発生する場合に比して、ガスセルの温度分布が安定して保持される。
【００２２】
ガスセル保持部材２１の材料としては、動作温度に加熱されたガスセル１０の温度に十分耐えうる耐熱性を有する金属、あるいは合成樹脂などを用いることができる。
例えば、ガスセル保持部材２１の材料としてアルミニウムや銅などの金属を用いた場合には、堅牢なガスセル保持部材２１を比較的容易に加工して形成することができる。また、金属は熱伝導性が比較的高いので、ガスセル１０から伝わる熱によりガスセル保持部材２１の温度が一旦安定すれば、ガスセル保持部材２１によるガスセル１０の安定した保温構造が実現できる。
一方、ガスセル保持部材２１の材料として熱伝導率の低い合成樹脂を用いた場合には、ガスセル保持部材２１を介したガスセル１０の放熱が抑えられ、ヒータ１５によるガスセル１０の加熱効率を高くすることができる。このようなガスセル保持部材２１の材料として、具体的には、ポリスチレン、ポリエチレン、アクリル樹脂などが挙げられる。
【００２３】
なお、光源３０には半導体レーザ光源などが用いられる。
また、ガスセル１０を通過した励起光の光検出手段としてのフォトセンサ４０は、例えば太陽電池あるいはフォトダイオードなどからなる。
また、より高精度の温度維持を行って原子発振器の性能に寄与させるためには、ガスセル１０およびそれを保持するガスセル保持部材２１からなるセルユニット２０と、光源３０と、フォトセンサ４０とを、保温可能な容器内に収納して温度制御すると効果的である。
【００２４】
（原子発振器）
次に、本実施形態にかかる原子発振器の構成、および制御方法について説明する。
図３は、上記物理部５０を備えた二重共鳴法による原子発振器１００の要部構成図である。
図３において、原子発振器１００は、光源３０を点灯する光源励振部３５と、ガスセル１０中のガス化された金属原子を励起する光源３０と、金属原子を封入したガスセル１０を備えたセルユニット２０と、ガスセル１０中の金属原子の共振周波数により励振するマイクロ波共振器７０と、マイクロ波共振器７０にマイクロ波を放射する放射用アンテナ２４と、ガスセル１０を透過した光（励起光）の強度を検出するフォトセンサ４０と、Ａｍｐ５５に現れる低周波振幅変調信号の位相を弁別する位相弁別器６１と、マイクロ波の位相を低周波により変調する低周波位相変調信号発生器６０と、電圧制御水晶発振器６３の発振信号をマイクロ波に逓倍する周波数逓倍合成変調部６２と、位相弁別器６１の電圧に基づいて所定の周波数を発振する電圧制御水晶発振器６３と、ガスセル１０を加熱するヒータ（加熱手段）１５と、フォトセンサ４０により検出された励起光の強度に基づいてヒータ１５を制御する温度制御部６５と、を備えて構成されている。なお、周波数逓倍合成変調部６２の出力は放射用アンテナ２４に接続されている。
【００２５】
原子発振器１００の動作については公知であるので、ここでは詳細な説明は省略するが、本実施形態の原子発振器１００の主たる構成要素であるマイクロ波共振器７０の動作について概略を説明する。
原子発振器１００の動作プロセスにおいて、定常状態にあるエネルギ準位より高いエネルギ準位にある電子を、基底準位まで落とすためのマイクロ波の存在が、セルユニット２０を原子発振器として動作させるに当って非常に重要であり、そのマイクロ波の強度を十分高めるためにマイクロ波共振器７０が用いられる。そして、マイクロ波共振器７０内に取り付けた放射用アンテナ２４から６．８３４６８・・ＧＨｚを送出し、この周波数に同調をとるようにマイクロ波共振器７０は設計されている。
【００２６】
このような二重共鳴法は、単一の光源（光源３０）より片方の基底準位の原子を励起させ、他方の基底準位の原子をマイクロ波による誘導放出で励起対象の基底準位に至らしめる共振法で、マイクロ波の周波数を共振周波数付近に掃引しながら光検出手段（フォトセンサ４０）で吸収の程度を監視し、吸収が最大となったときの波長に水晶発振器（電圧制御水晶発振器６３）などを同期させる方式である。例えばこの方法でも、ある程度温度が一致した状態から最大吸収の絶対値が一致するような温度制御を施せば、原子数や原子状態が再現したことになり、つまりは同一温度に至ったと判断できる。
【００２７】
光源３０からの入射光の波長に応じた光吸収が最大になった励起周波数における光の強度を温度制御部６５内の図示しないメモリ（光強度記憶手段）に記憶する。そして、温度制御部６５が、金属原子を封入したガスセル１０を備えたセルユニット２０の温度補正を行う場合、メモリに記憶された光の強度と、現時点での光源３０からの入射光の波長に応じた光吸収により得られた光の強度とを比較し、現時点での光の強度がメモリに記憶された光の強度と一致するようにヒータ１５を制御するものである。
【００２８】
上記実施形態の原子発振器１００によれば、ヒータ１５が窓部１２の光路Ｌと異なる領域に設けられているので、加熱されたガスセル１０において、窓部１２の温度が円筒部１１の温度よりも高く保持される。これにより、ガスセル１０内のガス化された金属原子が窓部１２の光路Ｌに固化されて付着するのを抑えることができるので、窓部１２の光路Ｌの励起光の透過性が保持され、安定した発振特性を有する原子発振器１００を提供することができる。
【００２９】
上記実施形態で説明した原子発振器１００は、以下の変形例として実施することも可能である。
【００３０】
（変形例１）
上記実施形態では、ガスセル１０の加熱を、窓部１２の光路Ｌと異なる領域に設けられた複数のヒータ１５のみで行う構成とした。これに限らず、円筒部１１を加熱する加熱手段を別途併設することにより、さらに安定したガスセルの加熱を実現でき、より高精度な発振特性を有する原子発振器の提供に寄与できる。
図４は、ガスセル１０を保持するガスセル保持部材に加熱手段を併設したセルユニットを説明するものであり、（ｂ）は、本変形例のセルユニットを光の入射面側からみた正面図であり、（ａ）は（ｂ）のＢ−Ｂ線断面図である。
なお、本変形例のセルユニットの構成のうち、上記実施形態と同じ構成については同一符号を付して説明を省略する。
【００３１】
図４において、セルユニット１２０は、ガスセル１０が、熱伝導性が高く加工が容易な、例えば銅やアルミニウムなどの金属からなるガスセル保持部材１２１により保持されて構成されている。上記実施形態と同様に、ガスセル保持部材１２１は、各窓部１２に接触しないように所定の隙間を設けてガスセル１０を保持している。また、ガスセル保持部材１２１の円筒部１１を保持する円筒形状の凹部において、溜り部１３に対応する位置には、溜り部１３との間に所定の隙間を形成する凹部が設けられている。
【００３２】
ガスセル保持部材１２１には、該ガスセル保持部材１２１に保持されているガスセル１０を円筒部１１から加熱するための第１の加熱手段としてのヒータ１２５が挿設されている。なお、本変形例では、上記実施形態と同様にガスセル１０の窓部１２の光路Ｌと異なる領域に設けられた複数のヒータ１５を第２の加熱手段として定義する。
また、ガスセル保持部材１２１には、該ガスセル保持部材１２１の温度を検出するための温度センサ１２９が備えられている。
【００３３】
本変形例のセルユニット１２０は、上記実施形態で説明した原子発振器１００の光学系の要部構成（図３を参照）におけるセルユニット２０に代わるものである。ここで、セルユニット１２０のガスセル１０は、第１の加熱手段としてのヒータ１２５によりガスセル保持部材１２１を介して主に円筒部１１が所定の温度に加熱される。この所定の温度とは、ガスセル１０のキャビティＴ内に原子が所望の状態で気化される温度を指す。そして、ガスセル１０の窓部１２に設けられた第２の加熱手段であるヒータ１５は、第１の加熱手段としてのヒータ１２５よりも高い温度にて制御される。これにより、ガスセル１０において、キャビティＴ内に原子が安定して気化された状態を保持できるとともに、窓部１２が常に円筒部１１よりも高い温度に保持されるので、固形の原子が窓部１２に付着するのを防止することができる。
【００３４】
（変形例２）
上記実施形態および変形例１では、ガスセル１０の窓部１２に設ける加熱手段（第２の加熱手段）として、励起光の光路Ｌと異なる領域に、該光路Ｌから略均等な距離を空けて取り囲むように四つのヒータ１５が配設された例を説明した。ヒータ１５の形状や数はこれに限らず、光路Ｌを避けて配置され、且つ、ガスセル１０を所望の温度に保持できれよい。
例えば、図５に示すような形状の加熱手段を用いることができる。図５は、上記実施形態および変形例１の複数のヒータ１５とは異なる形状および数量の加熱手段を用いたガスセル１１０を説明するものであり、図２（ｂ）と同じ方向からみた正面図である。なお、上記実施形態および変形例１と同じ構成については同一符号を付して説明を省略する。
【００３５】
図５に示すガスセル１１０において、窓部１２には、平面ドーナツ形状のヒータ１３５が設けられている。ヒータ１３５は、その平面ドーナツ形状の中央の開口部分がガスセル１１０の光路Ｌよりも大きく形成されていて、該開口部分により光路Ｌが遮蔽されないように位置を合わせて設けられている。同様に、窓部１２の円筒部１１を挟んだ反対側（紙面の奥側）に設けられた窓部（図示されず）にも平面ドーナツ形状のヒータが設けられ、各ヒータ１３５は図示しない配線によって上記した温度制御部（図３を参照）の駆動回路に接続されている。
【００３６】
この構成によれば、窓部１２へのヒータ１３５の接触面積を大きくすることができるので、ガスセル１１０を所定の温度にするための加熱時間が短縮され、また、温度をより安定させて保持することが可能になる。
また、ヒータ１３５は各窓部１２に一つずつ設ければよいので、部品点数が軽減され、ガスセル１１０を製造する際のヒータ１３５貼り付け工程の効率化が図れる。
【００３７】
以上、発明者によってなされた本発明の実施の形態について具体的に説明したが、本発明は上記した実施の形態に限定されるものではなく、その要旨を逸脱しない範囲で種々の変更を加えることが可能である。
【００３８】
例えば、上記実施形態では、光源３０からの単一の励起光とマイクロ波共振器７０からのマイクロ波とによる二重共鳴法を用いた原子発振器１００、およびその制御方法について説明した。これに限らず、本発明は、レーザ光などのコヒーレント光を照射する光源を用いて、そのコヒーレント光源から照射されるコヒーレント光の原子干渉を利用した所謂ＣＰＴによる原子発振器にも適用が可能であり、上記実施形態と同様な効果を奏する。なお、コヒーレント光とは、レーザ光などのように位相や振幅に一定性があり、互いに干渉しやすい光をいう。
【００３９】
また、上記実施形態および変形例では、開口部の形状が円形である円筒形の筒部である円筒部１１を有するガスセル１０，１１０について説明した。これに限らず、筒部は開口部の形状が楕円形の円筒形であってよく、また、原子発振器に求める精度によっては多角柱状の筒部であってもよい。また、筒部の長手方向断面が、その中央を頂部として両端側に向けて幅が狭くなる所謂断面コンベックス状であってもよい。
【符号の説明】
【００４０】
１０，１１０…ガスセル、１１…筒部としての円筒部、１２…窓部、１３…溜り部、１５，１３５…加熱手段としてのヒータ、１９，１２９…温度センサ、２０，１２０…セルユニット、２１，１２１…ガスセル保持部材、２４…放射用アンテナ、３０…光源、３５…ランプ励振部、４０…光検出手段としてのフォトセンサ、５０…物理部、６０…低周波位相変調信号発生器、６１…位相弁別器、６２…周波数逓倍合成変調部、６３…電圧制御水晶発振器、６５…温度制御部、７０…マイクロ波共振器、１００…原子発振器、Ｌ…光路、Ｔ…キャビティ。
【図１】
0005713039.tif 000002
【図２】
0005713039.tif 000003
【図３】
0005713039.tif 000004
【図４】
0005713039.tif 000005
【図５】
0005713039.tif 000006